(57)【特許請求の範囲】
【請求項１】
折板で葺いた折板屋根の頂部にソーラーパネルを取付ブラケットとボルトを介して固定するようにしたソーラーパネルの取付構造において、
前記折板屋根の頂部に載置される載置片部と前記ソーラーパネル固定用の取付片部を有し、前記載置片部の前記折板屋根の頂部に形成された取付孔に対応する位置に取付孔を形成した取付ブラケットと、
前記折板屋根の頂部の取付孔と前記取付ブラケットの取付孔から貫通して外側に突出する軸部と、該軸部の基端部に設けられて前記折板屋根の頂部の取付孔を貫通して該頂部の裏面側に位置する頭部を有したボルトと、
前記ボルトの頭部の径と少なくとも同径の幅で矩形板状の金具本体を有し、この金具本体に前記ボルトの軸部が挿通される貫通孔を形成した取付金具とを備え、
前記ボルトの頭部を下にした状態で前記ボルトの軸部に前記取付金具の貫通孔を挿通させて、前記ボルトの頭部と傾斜させた前記取付金具を前記折板屋根の頂部の取付孔に差し込み、且つ、前記取付金具を前記ボルトの頭部に載置させた状態で前記折板屋根の頂部の裏面に当接させると共に、前記ボルトの軸部に形成した螺子部を前記折板屋根の頂部の外側に突出させた後で、前記ボルトの軸部に前記取付ブラケットの取付孔を挿通させて該軸部の螺子部にナットを螺合して前記折板屋根の頂部に前記取付ブラケットを締結固定するようにしたことを特徴とするソーラーパネルの取付構造。
【請求項２】
請求項１記載のソーラーパネルの取付構造であって、
前記ボルトの軸部の前記頭部側に前記螺子部を形成すると共に該螺子部の先端側に該螺子部より小径の柱状部を形成し、この柱状部に、前記折板屋根の頂部に前記取付ブラケットを前記ナットを介して締結固定する際の回り止め部を形成したことを特徴とするソーラーパネルの取付構造。
【請求項３】
請求項１記載のソーラーパネルの取付構造であって、
前記ボルトの軸部の前記頭部側に前記螺子部を形成すると共に該螺子部の先端側に該螺子部より小径の柱状部を形成し、前記螺子部と前記頭部の間に、前記折板屋根の頂部に前記取付ブラケットを前記ナットを介して締結固定する際の回り止め部を角柱状に形成したことを特徴とするソーラーパネルの取付構造。
【請求項４】
請求項１記載のソーラーパネルの取付構造であって、
前記取付ブラケットの載置片部の取付孔の周囲と前記ナットとの間にシール部材を介在したことを特徴とするソーラーパネルの取付構造。
【請求項５】
請求項１記載のソーラーパネルの取付構造であって、
前記取付金具の貫通孔を円形に形成し、この円形の貫通孔の両側に半円形で一対の補助貫通孔を形成したことを特徴とするソーラーパネルの取付構造。
【発明の詳細な説明】
【技術分野】
【０００１】
本発明は、既設のハゼ式折板屋根の頂部に太陽光発電モジュールや太陽熱温水器等のソーラーパネルを取付ブラケットとボルトを介して固定するようにしたソーラーパネルの取付構造に関する。
【背景技術】
【０００２】
この種のソーラーパネルの取付構造として、例えば、特許文献１に記載されたものが知られている。
【０００３】
この特許文献１に記載のものは、折板で葺いた折板屋根を有するカーポートの該折板屋根の頂部にソーラーパネルとしての太陽光発電モジュールを固定するものであり、折板屋根の折板の断面形状に合わせて略台形波状に折り曲げられたタイトフレームの頂部に固定ボルトを上向きに固着しておき、この固定ボルトを折板屋根の頂部に形成した小孔に挿通させると共に、架台としての縦材を折板屋根の折板と共締めして、この縦板に支持枠とボルト及びナットを介して太陽光発電モジュールを締結固定していた。
【先行技術文献】
【特許文献】
【０００４】
【特許文献１】特開２００２−３０７７４号公報（図２）
【発明の概要】
【発明が解決しようとする課題】
【０００５】
しかしながら、前記従来のソーラーパネルの取付構造では、カーポートに折板屋根を新設する際に、太陽光発電モジュールを一緒に取り付けるものであるため、既設のハゼ式折板屋根の頂部に後付けで太陽光発電モジュールを設置する場合は、折板屋根の外側からボルトを組み付けて、架台等の取付ブラケットを折板屋根の頂部に固定することができず、取付作業性が悪かった。
【０００６】
そこで、本発明は、前記した課題を解決すべくなされたものであり、既設の折板屋根の頂部に取付ブラケットを簡単かつ確実に取り付けることができ、短時間でかつ効率良くソーラーパネルを設置することができるソーラーパネルの取付構造を提供することを目的とする。
【課題を解決するための手段】
【０００７】
請求項１の発明は、折板で葺いた折板屋根の頂部にソーラーパネルを取付ブラケットとボルトを介して固定するようにしたソーラーパネルの取付構造において、前記折板屋根の頂部に載置される載置片部と前記ソーラーパネル固定用の取付片部を有し、前記載置片部の前記折板屋根の頂部に形成された取付孔に対応する位置に取付孔を形成した取付ブラケットと、前記折板屋根の頂部の取付孔と前記取付ブラケットの取付孔から貫通して外側に突出する軸部と、該軸部の基端部に設けられて前記折板屋根の頂部の取付孔を貫通して該頂部の裏面側に位置する頭部を有したボルトと、前記ボルトの頭部の径と少なくとも同径の幅で矩形板状の金具本体を有し、この金具本体に前記ボルトの軸部が挿通される貫通孔を形成した取付金具とを備え、前記ボルトの頭部を下にした状態で前記ボルトの軸部に前記取付金具の貫通孔を挿通させて、前記ボルトの頭部と傾斜させた前記取付金具を前記折板屋根の頂部の取付孔に差し込み、且つ、前記取付金具を前記ボルトの頭部に載置させた状態で前記折板屋根の頂部の裏面に当接させると共に、前記ボルトの軸部に形成した螺子部を前記折板屋根の頂部の外側に突出させた後で、前記ボルトの軸部に前記取付ブラケットの取付孔を挿通させて該軸部の螺子部にナットを螺合して前記折板屋根の頂部に前記取付ブラケットを締結固定するようにしたことを特徴とする。
【０００８】
請求項２の発明は、請求項１記載のソーラーパネルの取付構造であって、前記ボルトの軸部の前記頭部側に前記螺子部を形成すると共に該螺子部の先端側に該螺子部より小径の柱状部を形成し、この柱状部に、前記折板屋根の頂部に前記取付ブラケットを前記ナットを介して締結固定する際の回り止め部を形成したことを特徴とする。
【０００９】
請求項３の発明は、請求項１記載のソーラーパネルの取付構造であって、前記ボルトの軸部の前記頭部側に前記螺子部を形成すると共に該螺子部の先端側に該螺子部より小径の柱状部を形成し、前記螺子部と前記頭部の間に、前記折板屋根の頂部に前記取付ブラケットを前記ナットを介して締結固定する際の回り止め部を角柱状に形成したことを特徴とする。
【００１０】
請求項４の発明は、請求項１記載のソーラーパネルの取付構造であって、前記取付ブラケットの載置片部の取付孔の周囲と前記ナットとの間にシール部材を介在したことを特徴とする。
【００１１】
請求項５の発明は、請求項１記載のソーラーパネルの取付構造であって、前記取付金具の貫通孔を円形に形成し、この円形の貫通孔の両側に半円形で一対の補助貫通孔を形成したことを特徴とする。
【発明の効果】
【００１２】
以上説明したように、請求項１の発明によれば、ボルトの頭部を下にした状態でボルトの軸部に取付金具の貫通孔を挿通させて、ボルトの頭部と傾斜させた取付金具を折板屋根の頂部の取付孔に差し込み、且つ、取付金具をボルトの頭部に載置させた状態で折板屋根の頂部の裏面に当接させると共に、ボルトの軸部に形成した螺子部を折板屋根の頂部の外側に突出させた後で、ボルトの軸部に取付ブラケットの取付孔を挿通させて該軸部の螺子部にナットを螺合して折板屋根の頂部に前記取付ブラケットを締結固定するようにしたことにより、既設の折板屋根の頂部の上から該頂部に取付ブラケットを簡単かつ確実に取り付けることができる。これにより、短時間でかつ効率良くソーラーパネルを設置することができる。
【００１３】
請求項２又は請求項３の発明によれば、ボルトの軸部の螺子部より小径の柱状部又は螺子部と頭部の間に形成された回り止め部により、折板屋根の頂部に取付ブラケットをボルトとナットを介して締結固定する際にボルトの空回りを確実に防止することができ、板厚が薄い折板屋根の頂部でも取付ブラケットを簡単かつ確実に取り付けることができる。
【００１４】
請求項４の発明によれば、取付ブラケットの載置片部の取付孔の周囲とナットとの間にシール部材を介在したことにより、このシール部材により取付ブラケットの載置片部の取付孔を確実にシールして折板屋根の頂部の防水性を高めることができ、雨漏り等を確実に防ぐことができる。
【００１５】
請求項５の発明によれば、取付金具の貫通孔を円形に形成し、この円形の貫通孔の両側に半円形で一対の補助貫通孔を形成したことにより、ボルトの軸部に対して取付金具を簡単に傾斜させて折板屋根の頂部の取付孔に簡単かつ確実に差し込むことができる。
【図面の簡単な説明】
【００１６】
【図１】本発明の実施形態のソーラーパネルの取付構造を示す要部の長手方向に沿う断面図である。
【図２】上記ソーラーパネルの取付構造の要部の長手方向と直交する方向に沿う断面図である。
【図３】上記ソーラーパネルの取付構造の要部の分解斜視図である。
【図４】（ａ）は上記ソーラーパネルの取付構造に用いられる取付ブラケットの平面図、（ｂ）は同取付ブラケットの正面図である。
【図５】（ａ）は上記ソーラーパネルの取付構造に用いられるボルトの斜視図、（ｂ）は同ボルトの変形例の斜視図、（ｃ）は同取付構造に用いられる取付金具の平面図である。
【図６】（ａ）は上記ソーラーパネルを取り付ける前の折板屋根の頂部の取付孔にボルトの頭部と取付金具を差し込む前の状態を示す要部の断面図、（ｂ）は同ボルトの軸部に取付金具を斜めに装着した状態を示す斜視図である。
【図７】上記折板屋根の頂部の取付孔にボルトの頭部と取付金具を差し込んだ状態を示す要部の断面図である。
【図８】上記折板屋根の頂部の取付孔にボルトの頭部と取付金具を差し込んだ後で該取付金具を折板屋根の頂部の裏面側に当接させて係止させた状態を示す要部の断面図である。
【図９】上記折板屋根の頂部にボルトとナットを介して取付ブラケットを固定した状態を示す要部の断面図である。
【図１０】上記折板屋根の頂部にソーラーパネルを取り付けた状態を示す説明図である。
【図１１】（ａ）は上記ソーラーパネルの取付構造に用いられる他の形態の取付ブラケットの平面図、（ｂ）は同取付ブラケットの正面図である。
【図１２】（ａ）は上記ソーラーパネルの取付構造に用いられる他の形態のボルトの平面図、（ｂ）は同ボルトの正面図である。
【図１３】（ａ）は上記ソーラーパネルの取付構造に用いられる別の形態の取付ブラケットの平面図、（ｂ）は同取付ブラケットの正面図である。
【図１４】（ａ）は上記ソーラーパネルの取付構造に用いられる別の形態のボルトの平面図、（ｂ）は同ボルトの正面図である。
【発明を実施するための形態】
【００１７】
以下、本発明の実施形態を図面に基づいて説明する。
【００１８】
図１は本発明の実施形態のソーラーパネルの取付構造を示す要部の長手方向に沿う断面図、図２は同取付構造の要部の長手方向と直交する方向に沿う断面図、図３は同取付構造の要部の分解斜視図、図４（ａ）は同取付構造に用いられる取付ブラケットの平面図、図４（ｂ）は同取付ブラケットの正面図、図５（ａ）は同取付構造に用いられるボルトの正面図、図５（ｂ）は同取付構造に用いられるボルトの変形例の正面図、図５（ｃ）は同取付構造に用いられる取付金具の平面図、図６〜図９は既設の折板屋根の頂部にソーラーパネルを設置する手順を示す要部の断面図、図１０は同既設の折板屋根の頂部にソーラーパネルを設置した状態を示す説明図である。
【００１９】
図１及び図２に示すように、ソーラーパネル１の取付構造は、既設のハゼ式折板屋根２の頂部４に、後付けで太陽光発電モジュールや太陽熱温水器等のソーラーパネル１を取付ブラケット１０と架台６とボルト７，２０及び取付金具３０等により固定して設置するものである。
【００２０】
図１〜図３に示すように、折板屋根２は折板３を葺いてなり、その頂部４にはボルト２０の頭部２２と取付金具３０が差し込まれる円形の取付孔５を形成してある。また、折板屋根２の裏面には、発泡樹脂等の断熱材３ａを貼り付けてある。この断熱材３ａには、ボルト２０の頭部２２と取付金具３０が差し込まれる円形の取付孔３ｂを形成してある。さらに、折板屋根２は、所定の方向に例えば１．５゜の勾配を有して傾斜している。
【００２１】
図１〜図４（ａ），（ｂ）に示すように、取付ブラケット１０は、折板屋根２の頂部４に載置される矩形板状の載置片部１１と、この載置片部１１の長手方向の両端からＬ字形に折れ曲がるソーラーパネル固定用の一対の取付片部１３，１３を有している。
【００２２】
図４（ａ），（ｂ）に示すように、取付ブラケット１０の載置片部１１の折板屋根２の頂部４に形成された取付孔５に対応する位置には、円形の取付孔１１ａを形成してある。また、載置片部１１の両側には折板屋根２の頂部４に沿うように下方に折り曲げられた載置延長片部１２をそれぞれ一体形成してある。
【００２３】
また、図１，図２に示すように、取付ブラケット１０の載置片部１１と一対の載置延長片部１２，１２の下面には、緩衝材・シール材としての含油製で矩形板状のパッキン１５を接着剤等により固着してある。これにより、取付ブラケット１０の載置片部１１と一対の載置延長片部１２，１２は、折板屋根２の頂部４にガタ付くことなく載置されるようになっている。さらに、パッキン１５の載置片部１１の取付孔１１ａに対応する位置には、円形の取付孔１５ａを形成してある。
【００２４】
図４（ａ），（ｂ）に示すように、取付ブラケット１０の一対の取付片部１３，１３は、起立部１３ａと水平部１３ｂとでＬ字形に形成してあり、各水平部１３ｂの中央には長手方向と直交する方向に延びる楕円形の長孔１３ｃを形成してある。また、一対の起立部１３ａ，１３ａの各一端の左右対象位置には、補強部１３ｄを載置片部１１側にＬ字状に折り曲げ形成されている。この補強部１３ｄにより水平部１３ｂの強度を補強している。
【００２５】
図５（ａ）に示すように、ボルト２０は、折板屋根２の頂部４の取付孔５と取付ブラケット１０の載置片部１１の取付孔１１ａから貫通して外側に突出する螺子部２１ａと円柱状部（柱状部）２１ｂを有した軸部２１と、この軸部２１の基端部に設けられて折板屋根２の頂部４の裏面４ｂ側に位置する円板状の頭部２２とで棒状に形成してある。
【００２６】
ボルト２０の軸部２１の頭部２２側に形成された螺子部２１ａには、含油製で円環状のパッキン（シール部材）２５とワッシャ２６を介してナット２７が螺合されるようになっている。このパッキン２５により、取付ブラケット１０の載置片部１１の取付孔１１ａの周囲とワッシャ２６を介してナット２７との間がシールされるようになっている。また、ボルト２０とナット２７の締め付けにより取付ブラケット１０が折板屋根２の頂部４の上面４ａに締結固定されるようになっている。
【００２７】
また、図５（ａ）に示すように、ボルト２０の軸部２１の円柱状部２１ｂは、螺子部２１ａの先端から該螺子部２１ａより小径の円柱状になって一体に突出形成してある。この円柱状部２１ｂの下部には、折板屋根２の頂部４に取付ブラケット１０をナット２７を介して締結固定する際の回り止め部２１ｃを切り欠き形成してある。尚、図５（ｂ）に示すように、ボルト２０′の軸部２１の螺子部２１ａに、折板屋根２の頂部４に取付ブラケット１０をナット２７を介して締結固定する際の回り止め部２１ｄを該螺子部２１ａの両側を切り欠くことにより形成しても良い。
【００２８】
図６（ａ），（ｂ）に示すように、ボルト２０の軸部２１には、取付金具３０が斜めに装着されるようになっている。図５（ｃ）に示すように、取付金具３０の金具本体３１はボルト２０の頭部２２の直径と少なくとも同径の幅Ｈを有した矩形板状に形成してある。この矩形板状の金具本体３１の中央には、ボルトの軸部２１が挿通される円形の貫通孔３２を形成してある。また、この貫通孔３２の金具本体３１の長尺方向の両側には、半円形で一対の補助貫通孔３３，３３をそれぞれ形成してある。この一対の補助貫通孔３３，３３にボルト２０の軸部２１の円柱状部２１ｂが挿通して当たることにより、ボルト２０の軸部２１の円柱状部２１ｂに取付金具３０の金具本体３１が傾斜した状態で装着されるようになっている。
【００２９】
さらに、取付金具３０の金具本体３１の幅Ｈは、ボルト２０の頭部２２の直径と同径の寸法に形成してあるが、ボルト２０の頭部２２の直径から軸部２１の螺子部２１ａの直径の間の寸法に形成しても良い。また、金具本体３１の円形の貫通孔３２の直径は、ボルト２０の軸部２１の螺子部２１ａの直径よりも若干大きい寸法に形成してあり、ボルト２０の頭部２２上に取付金具３０が載置されるようになっている。
【００３０】
そして、図６〜図９に示すように、ボルト２０の頭部２２を下にした状態で、ボルト２０の軸部２１に取付金具３０の貫通孔３２を挿通させて、ボルト２０の頭部２２と傾斜させた取付金具３０を折板屋根２の頂部４の取付孔５に差し込み、且つ、取付金具３０をボルト２０の頭部２２に載置させた状態で折板屋根２の頂部４の裏面４ｂに当接させると共に、ボルト２０の軸部２１の螺子部２１ａを折板屋根２の頂部４の外側に突出させた後で、ボルト２０の軸部２１に取付ブラケット１０の取付孔１１ａを挿通させて該軸部２１の螺子部２１ａにパッキン２５とワッシャ２６を介してナット２７を螺合することにより、折板屋根２の頂部４に取付ブラケット１０を締結固定することができるようになっている。この際、ボルト２０の頭部２２上に載置された取付金具３０は、折板屋根２の頂部４の裏面４ｂに断熱材３ａを介して当接されるようになっている。
【００３１】
尚、図１及び図９に示すように、折板屋根２の頂部４には所定間隔毎に取付孔５が穿設されて、複数の取付ブラケット１０が取り付けられるようになっており、各取付ブラケット１０の一対の取付片部１３，１３に、ソーラーパネル１が固着されたＣ型鋼製の架台６をボルト７とワッシャ８ａ及びスプリングワッシャ８ｂとナット９を介して締め付けて固定するようになっている。また、折板屋根２の頂部４の円形の取付孔５の直径は、ボルト２０の円板状の頭部２２の直径及び取付金具３０の金具本体３１の幅Ｈより若干大きい寸法に形成してある。さらに、取付ブラケット１０の載置片部１１の円形の取付孔１１ａの直径は、ボルト２０の軸部２１の螺子部２１ａの直径より若干大きい寸法に形成してある。
【００３２】
次に、以上実施形態のソーラーパネル１の取付構造による施工手順について説明する。
【００３３】
ソーラーパネル１を設置する場合には、まず、図６（ａ）に示すように、ボルト２０の頭部２２を下にした状態で、ボルト２０の軸部２１に取付金具３０の貫通孔３２を挿通させると共に一対の補助貫通孔３３，３３を当てて、ボルト２０の軸部２１の円柱状部２１ｂに対して取付金具３０を傾斜させる。
【００３４】
次に、図７に示すように、折板屋根２の頂部４に穿設した取付孔５に、折板屋根２の上（外側）から、ボルト２０の頭部２２と傾斜させた取付金具３０を折板屋根２の頂部４の取付孔５に差し込む。
【００３５】
次に、ボルト２０の頭部２２を折板屋根２の頂部４の取付孔５内に入れて行くと、取付金具３０がボルト２０の頭部２２に載置した水平状態となる。この取付金具３０が水平状態になった後で、図８に示すように、取付金具３０が折板屋根２の頂部４の裏面４ｂ側に断熱材３ａを介して当接するまでボルト２０を引き上げて、ボルト２０の軸部２１の螺子部２１ａを折板屋根２の頂部４の外側に突出させる。
【００３６】
このボルト２０の軸部２１の螺子部２１ａが折板屋根２の頂部４の外側に突出した状態で、図９に示すように、ボルト２０の軸部２１の螺子部２１ａに取付ブラケット１０の取付孔１１ａを挿通させて該軸部２１の螺子部２１ａにパッキン２５とワッシャ２６を介してナット２７を螺合して締め付ける。これにより、折板屋根２の頂部４に取付ブラケット１０が締結固定される。
【００３７】
この際、ボルト２０の軸部２１の円柱状部２１ｂに形成された回り止め部２１ｃを図示しない工具で保持することにより、取付ブラケット１０の載置片部１１の取付孔１１ａから外側に突出したボルト２０の軸部２１の螺子部２１ａに、含油製で円環状のパッキン２５とワッシャ２６を介してナット２７を簡単かつ確実に共回りすることなく締め付けることができる。この後、ボルト２０の軸部２１の不要になった円柱状部２１ｂを切断する。
【００３８】
このようにして、折板屋根２の頂部４に所定間隔毎に締結固定された複数の取付ブラケット１０の一対の取付片部１３，１３の各長孔１３ｃと、ソーラーパネル１を固着したＣ型鋼製の架台６の各取付孔６ａにボルト７を貫通させて、該ボルト７にワッシャ８ａ及びスプリングワッシャ８ｂを介してナット９を締め付けて固定することで、図１０に示すように、折板屋根２の頂部４にソーラーパネル１が設置される。
【００３９】
このように、ボルト２０の頭部２２を下にした状態で、ボルト２０の軸部２１に取付金具３０の貫通孔３２を挿通させて、ボルト２０の頭部２２と傾斜させた取付金具３０を折板屋根２の頂部４の取付孔５に差し込み、且つ、取付金具３０をボルト２０の頭部２２に載置させた水平状態で折板屋根２の頂部４の裏面４ｂに断熱材３ａを介して当接させると共に、ボルト２０の軸部２１の螺子部２１ａを折板屋根２の頂部４の外側に突出させた後で、ボルト２０の軸部２１の螺子部２１ａに取付ブラケット１０の取付孔１１ａを挿通させて該軸部２１の螺子部２１ａにパッキン２５とワッシャ２６を介してナット２７を螺合して締め付けることで、折板屋根２の頂部４に取付ブラケット１０を締結固定するようにしたことにより、既設の折板屋根２の頂部４の上（外側）から該頂部４に取付ブラケット１０を簡単かつ確実に取り付けることができる。これにより、短時間でかつ効率良くソーラーパネル１を設置することができる。
【００４０】
また、ボルト２０の軸部２１の螺子部２１ａより小径の円柱状部２１ｂに形成された回り止め部２１ｃにより、折板屋根２の頂部４に取付ブラケット１０をボルト２０とナット２７を介して締め付けて固定する際に、ボルト２０の空回りを確実に防止することができ、例えば折板３の板厚が０．６ｍｍと薄い折板屋根２の頂部４でも取付ブラケット１０を簡単かつ確実に取り付けることができる。
【００４１】
さらに、取付ブラケット１０の載置片部１１の取付孔１１ａの周囲とナット２７との間にシール部材として含油製で円環状のパッキン２５をワッシャ２６を介して介在したことにより、この含油製で円環状のパッキン２５により取付ブラケット１０の載置片部１１の取付孔１１ａを確実にシールして折板屋根２の頂部４の防水性を高めることができ、雨漏り等を確実に防ぐことができる。
【００４２】
さらに、取付金具３０の貫通孔３２を円形に形成し、この円形の貫通孔３２の両側に半円形で一対の補助貫通孔３３，３３を形成したことにより、ボルト２０の軸部２１に対して取付金具３０を簡単に傾斜させて折板屋根２の頂部４の取付孔５に簡単かつ確実に差し込むことができる。
【００４３】
図１１（ａ）は上述したソーラーパネル１の取付構造に用いられる他の形態の取付ブラケット１０Ａの平面図、図１１（ｂ）は同取付ブラケット１０Ａの正面図、図１２（ａ）は上述したソーラーパネル１の取付構造に用いられる他の形態のボルト２０Ａの平面図、図１２（ｂ）は同ボルト２０Ａの正面図である。
【００４４】
この他の形態の取付ブラケット１０Ａでは、その載置片部１１の中央の折板屋根２の頂部４の取付孔５に対応する位置に突出部１１ｂを円形皿状に一体突出形成してある。この突出部１１ｂの中央には、四角形の取付孔１１ｃを形成してある。他の構成は、図４に示す取付ブラケット１０と同様であるので、同一符号を付して詳細な説明は省略する。
【００４５】
また、ボルト２０Ａは、折板屋根２の頂部４の取付孔５と取付ブラケット１０Ａの載置片部１１の四角形の取付孔１１ｃから貫通して外側に突出する螺子部２１ａと円柱状部（柱状部）２１ｂを有した軸部２１と、この軸部２１の基端部に設けられて折板屋根２の頂部４の裏面４ｂ側に位置する円板状の頭部２２とで棒状に形成してある。この軸部２１の螺子部２１ａと頭部２２の間には四角柱状の回り止め部２１ｅを一体形成してある。
【００４６】
そして、ボルト２０Ａの軸部２１が折板屋根２の頂部４の外側に突出した状態で、該ボルト２０Ａの軸部２１に取付ブラケット１０Ａの四角形の取付孔１１ｃを挿通させて、軸部２１の螺子部２１ａにナット２７を介して折板屋根２の頂部４の上面４ａに取付ブラケット１０Ａを締結固定する際に、取付ブラケット１０Ａの載置片部１１の四角形の取付孔１１ｃにボルト２０Ａの軸部２１の四角柱状の回り止め部２１ｅが嵌め込まれるため、ボルト２０Ａとナット２７が共回りすることなく、ボルト２０Ａの軸部２１の螺子部２１ａに含油製で円環状のパッキン２５とワッシャ２６を介してナット２７を簡単かつ確実に締め付けることができる。この後、図５に示すボルト２０では、軸部２１の不要になった円柱状部２１ｂを切断するが、この他の形態のボルト２０Ａでは、円柱状部２１ｂの下端側が螺子部２１ａの先端中央に形成された凹部２１ｇに圧入されているため、円柱状部２１ｂは、取付ブラケット１０Ａをボルト２０Ａとナット２７を介して折板屋根２の頂部４の上面４ａに締結固定した後は切断することなく、螺子部２１ａの凹部２１ｇから抜き取ることができる。
【００４７】
図１３（ａ）は上述したソーラーパネル１の取付構造に用いられる別の形態の取付ブラケット１０Ｂの平面図、図１３（ｂ）は同取付ブラケット１０Ｂの正面図、図１４（ａ）は上述したソーラーパネル１の取付構造に用いられる別の形態のボルト２０Ｂの平面図、図１４（ｂ）は同ボルト２０Ｂの正面図である。
【００４８】
この別の形態の取付ブラケット１０Ｂでは、その載置片部１１の中央の折板屋根２の頂部４の取付孔５に対応する位置に突出部１１ｂを円形皿状に一体突出形成してある。この突出部１１ｂの中央には、六角形の取付孔１１ｄを形成してある。他の構成は、図４に示す取付ブラケット１０と同様であるので、同一符号を付して詳細な説明は省略する。
【００４９】
また、ボルト２０Ｂは、折板屋根２の頂部４の取付孔５と取付ブラケット１０Ｂの載置片部１１の六角形の取付孔１１ｄから貫通して外側に突出する螺子部２１ａと円柱状部（柱状部）２１ｂを有した軸部２１と、この軸部２１の基端部に設けられて折板屋根２の頂部４の裏面４ｂ側に位置する円板状の頭部２２とで棒状に形成してある。この軸部２１の螺子部２１ａと頭部２２の間には六角柱状の回り止め部２１ｆを一体形成してある。
【００５０】
そして、ボルト２０Ｂの軸部２１が折板屋根２の頂部４の外側に突出した状態で、該ボルト２０Ｂの軸部２１に取付ブラケット１０Ｂの六角形の取付孔１１ｄを挿通させて、軸部２１の螺子部２１ａにナット２７を介して折板屋根２の頂部４の上面４ａに取付ブラケット１０Ｂを締結固定する際に、取付ブラケット１０Ｂの載置片部１１の六角形の取付孔１１ｄにボルト２０Ｂの軸部２１の四角柱状の回り止め部２１ｆが嵌め込まれるため、ボルト２０Ｂとナット２７が共回りすることなく、ボルト２０Ｂの軸部２１の螺子部２１ａに含油製で円環状のパッキン２５とワッシャ２６を介してナット２７を簡単かつ確実に締め付けることができる。この後、図５に示すボルト２０では、軸部２１の不要になった円柱状部２１ｂを切断するが、この別の形態のボルト２０Ｂでは、円柱状部２１ｂの下端側が螺子部２１ａの先端中央に形成された凹部２１ｇに圧入されているため、円柱状部２１ｂは、取付ブラケット１０Ｂをボルト２０Ｂとナット２７を介して折板屋根２の頂部４の上面４ａに締結固定した後は切断することなく、螺子部２１ａの凹部２１ｇから抜き取ることができる。
【００５１】
尚、前記実施形態によれば、ボルトの軸部の先端に円柱状部を棒状に形成したが、円柱状部の途中をＬ字状に折り曲げ形成してボルトが折板屋根の頂部の取付孔から内部に落下しないようにしても良い。また、取付金具の円形の貫通孔の両側に半円形で一対の補助貫通孔を形成して、ボルトの軸部に対して取付金具を簡単に傾斜させて折板屋根の頂部の取付孔に簡単かつ確実に差し込むことができるようにしたが、円形の貫通孔と半円形の補助貫通孔の代わりに取付金具に楕円形の貫通孔を形成しても良い。さらに、シール部材は、含油製のパッキンに限られるものでない。
【符号の説明】
【００５２】
１  ソーラーパネル
２  折板屋根
３  折板
４  頂部
４ｂ  裏面
５  取付孔
７  ボルト
１０，１０Ａ，１０Ｂ  取付ブラケット
１１  載置片部
１１ａ，１１ｃ，１１ｄ  取付孔
１３，１３  一対の取付片部
２０，２０Ａ，２０Ｂ  ボルト
２１  軸部
２１ａ  螺子部
２１ｂ  円柱状部（柱状部）
２１ｃ，２１ｅ，２１ｆ  回り止め部
２２  頭部
２５  パッキン（シール部材）
２７  ナット
３０  取付金具
３１  金具本体
３２  貫通孔
３３，３３  一対の補助貫通孔
Ｈ  幅
【要約】
【課題】折板屋根の頂部に取付ブラケットを簡単かつ確実に取り付けることができるソーラーパネルの取付構造を提供する。
【解決手段】折板屋根２の頂部４にソーラーパネル１を取付ブラケット１０とボルト７，２０を介して固定するようにしたソーラーパネルの取付構造において、ボルト２０の頭部２２を下にした状態でボルトの軸部２１に取付金具３０の貫通孔３２を挿通させて、ボルト２０の頭部２２と傾斜させた取付金具３０を折板屋根２の頂部４の取付孔５に差し込み、取付金具３０をボルト２０の頭部２２に載置させた状態で折板屋根２の頂部４の裏面４ｂに当接させると共に、ボルト２０の軸部２１に形成した螺子部２１ａを折板屋根２の頂部４の外側に突出させた後で、ボルトの軸部２１に取付ブラケット１０の取付孔１１ａを挿通させて該軸部２１の螺子部２１ａにナット２７を螺合して締め付けることで、折板屋根２の頂部４に取付ブラケット１０が固定される。
【選択図】図１【図１】
0005480949.tif 000002
【図２】
0005480949.tif 000003
【図３】
0005480949.tif 000004
【図４】
0005480949.tif 000005
【図５】
0005480949.tif 000006
【図６】
0005480949.tif 000007
【図７】
0005480949.tif 000008
【図８】
0005480949.tif 000009
【図９】
0005480949.tif 000010
【図１０】
0005480949.tif 000011
【図１１】
0005480949.tif 000012
【図１２】
0005480949.tif 000013
【図１３】
0005480949.tif 000014
【図１４】
0005480949.tif 000015